(57)【要約】【課題】無変調状態であると、雑音特性が劣化する。【解決手段】本発明のＣＡＴＶシステムにおける信号変調方法は、センター局で下り信号に変調をかけ、変調された下り信号の一部をその伝送中に分岐し、分岐された下り信号から変調信号を取り出し、取り出した変調信号で上り信号に変調をかける。本発明のＣＡＴＶシステム用ノードは、入力された下り光信号を光電変換するＰＤと、変換された下り電気信号の一部を分岐する分岐器と、分岐された下り電気信号から変調信号を取り出す分離フィルタと、取り出された変調信号を上り電気信号に合波して変調をかける合波器と、変調された上り電気信号によって駆動されるＬＤとを備えている。【選択図】　　図１
2004032177.tif 000002
【特許請求の範囲】
【請求項１】
ＨＦＣ方式のＣＡＴＶシステムにおける信号変調方法であって、センター局で下り信号に変調をかけ、変調された下り信号の一部をその伝送中に分岐し、分岐された下り信号から変調信号を分離して取り出し、取り出された変調信号によって上り信号に変調をかけることを特徴とするＣＡＴＶシステムにおける信号変調方法。
【請求項２】
ＨＦＣ方式のＣＡＴＶ伝送網に接続されるＣＡＴＶシステム用ノードであって、入力された下り光信号を光電変換するフォトダイオードと、変換された下り電気信号の一部を分岐する分岐器と、分岐された下り電気信号から変調信号を取り出す分離フィルタと、取り出された変調信号を上り電気信号に合波して変調をかける合波器と、変調された上り電気信号によって駆動される半導体レーザーとを備えたことを特徴とするＣＡＴＶシステム用ノード。
【発明の詳細な説明】
【０００１】
【発明の属する技術分野】
本発明は、ＨＦＣ（Ｈｙｂｒｉｄ　Ｆｉｂｅｒ　Ｃｏａｘ）方式のＣＡＴＶシステムに関するものである。
【０００２】
【従来の技術】
ＨＦＣ方式のＣＡＴＶシステムでは、センター局で電気信号を光信号に変換して下り光伝送路に送出し、これを途中のノードで電気信号に再変換し、同軸ケーブルを介して端末に伝送している。また、端末から送出された電気信号を前記ノードで光信号に変換し、これを上り光伝送路を介してセンター局に送っている。ここで、前記センター局及びノードでは、伝送しようとする電気信号で半導体レーザー（ＬＤ）を駆動することによって、該電気信号を光信号に変換している。
【０００３】
【発明が解決しようとする課題】
ＬＤは無変調状態ではコヒーレントが高くなる。従って、無変調の電気信号によってＬＤを駆動し、出力された光信号を光伝送路に送出すると、レーリー散乱の干渉効果によって光伝送路内で強度雑音が生じ、低周波数帯を中心に雑音特性が劣化する。
【０００４】
【課題を解決するための手段】
しかし、ＬＤに変調をかけると、スペクトラムの広がりによって前記雑音特性の劣化が急速に改善されることが知られている。本発明はかかる知見に基づいて前記課題を解決することを目的とする。具体的には、上り光信号及び下り光信号を常時変調状態に維持可能な変調方法及びノードを提供することによって前記課題を解決せんとするものである。
【０００５】
本発明の一つは、ＨＦＣ方式のＣＡＴＶシステムにおける信号変調方法であって、センター局で下り信号に変調をかけ、変調された下り信号の一部をその伝送中に分岐し、分岐された下り信号から変調信号を分離して取り出し、取り出された変調信号によって上り信号に変調をかけるものである。
【０００６】
本発明の他の一つは、ＨＦＣ方式のＣＡＴＶ伝送網に接続されるＣＡＴＶシステム用ノードであって、入力された下り光信号を光電変換するフォトダイオードと、変換された下り電気信号の一部を分岐する分岐器と、分岐された下り電気信号から変調信号を取り出す分離フィルタと、取り出された変調信号を上り電気信号に合波して変調をかける合波器と、変調された上り電気信号によって駆動される半導体レーザーとを備えたものである。
【０００７】
【発明の実施の形態】
（実施形態１）
本発明のＣＡＴＶシステムにおける信号変調方法を実施可能なＣＡＴＶシステムの一例を図１に示す。図１に示すＣＡＴＶシステムは、センター局１とノード２との間に下り光伝送路３及び上り光伝送路４を敷設すると共に、ノード２と端末との間に下り同軸ケーブル及び上り同軸ケーブルを敷設したＨＦＣ方式のＣＡＴＶシステムである。尚、ノード２より端末側の構成は便宜上図示を省略してある。また、図１には１つのノードのみ図示してあるが、端末の数に応じて同様のノードが２以上設けられる。
【０００８】
前記センター局１には、ヘッドエンド装置５と、ヘッドヘンド装置５から出力された電気信号（下り電気信号）によって駆動される（下り電気信号を下り光信号に変換する）ＬＤ６と、ＬＤ６に入力される下り電気信号に合波される変調信号を出力する発信器７と、発信器７から出力された変調信号を下り電気信号に合波させる合波器８とが設けられている。前記ＬＤ６から出力された下り光信号は、下り光伝送路３に送出されノード２に伝送される。
【０００９】
前記ノード２には、入力された下り光信号を電気信号（下り電気信号）に再変換するフォトダイオード（ＰＤ）９と、ＰＤ９から出力された下り電気信号の一部を分岐する分岐器１０と、分岐器１０によって取り出された下り電気信号から変調信号（前記センター局１で合波された変調信号）を分離して取り出す分離フィルター１１と、取り出された変調信号を所定レベルに増幅する増幅器１２と、増幅器１２から出力された変調信号を端末から上がってきた上り電気信号に合波する合波器１３と、変調信号が合波されて変調がかけられた上り電気信号によって駆動される（上り電気信号を上り光信号に変換する）ＬＤ１４とが設けられている。ＬＤ１４から出力された上り光信号は上り光伝送路４に送出されセンター局１に伝送される。
【００１０】
尚、図中の下り増幅器１５は、前記分岐器１０によって分岐されずに出力された下り電気信号を所定レベルに増幅する。上り増幅器１６は、上り電気信号を所定レベルに増幅する。分波フィルタ１７は、前記下り増幅器１５から出力された下り電気信号を出力端子１８に出力し、同出力端子１８に入力された上り電気信号を前記上り増幅器１６に出力する。利得制御器１９は、上り増幅器１６によって増幅された上り電気信号のレベルを調整する。
【００１１】
【発明の効果】
（１）本発明のＣＡＴＶシステムにおける信号変調方法では、下り信号に合波されている変調信号を取り出し、取り出された変調信号によって上り信号に変調をかける。従って、下り光信号及び上り光信号の双方を常時変調状態とすることができ、レーリー散乱によって光伝送路内に発生する雑音を低減させることができる。
（２）本発明のＣＡＴＶシステム用ノードは、下り信号に合波されている変調信号を取り出し、取り出された変調信号によって上り信号に変調をかけるために必要な手段を備えている。従って、該ノードを用いてＣＡＴＶシステムを構築すれば、前記本発明の上り信号変調方法が実現可能となり、該方法による効果を得ることができる。
【図面の簡単な説明】
【図１】本発明のＣＡＴＶシステムにおける信号変調方法を実施可能なＣＡＴＶシステムの一例を示す説明図。
【符号の説明】
１　センター局
２　ノード
３　下り光伝送路
４　上り光伝送路
５　ヘッドヘンド装置
６　ＬＤ
７　発信器
８　合波器
９　ＰＤ
１０　分岐器
１１　分離フィルター
１２　増幅器
１３　合波器
１４　ＬＤ
１５　下り増幅器
１６　上り増幅器
１７　分波フィルター
１８　出力端子
１９　利得制御器
【図１】
2004032177.tif 000003